(57)【特許請求の範囲】
【請求項１】
サムターンの摘み操作で出没するデッドボルトと、一端部側が取付け座を介して揺動自在に取り付けられ、上側から手掛け可能なプッシュ／プルハンドルの押し／引き操作により反転可能なラッチとを上下に並設して備える錠ユニットを、室内側の扉面に取り付けられる錠ケースに内装せしめると共に、室内側のプッシュハンドルユニットを錠ケースに一体的に外装せしめ、
該錠ケースを、既設の扉体に予め備えられた面付け錠取付け用に開孔された室内外を連通する既設の軸挿通孔を利用し、室内側の扉面に取着される取付けベースを介して扉体に取り付けするに、
該取付けベースは、基面部から立ち上がり形成された錠ケースを装着する取付部と、基面部から取付部に背反して折曲形成された断面視略Ｕ字状の係止部とを有し、
該係止部を、前記室内側の扉面板に開孔された軸挿通孔から、当該孔の周端縁となる裏面側周面に係止せしめた状態で、前記取付けベースを室内側扉面に対して面ズレ可能に緩装させて仮固定すると共に、
前記取付部に対して、前記錠ユニットと共に錠ケースを組み付けした状態で、
該錠ケースと室外側扉面に取り付けされるプルハンドルユニットとを、前記軸挿通孔に挿通されるジョイント軸を介して、前記仮固定状態を維持して位置合わせ調整可能に連結せしめることで、位置合わせ調整による本固定を可能に構成してあることを特徴とする面付けプッシュプル錠。
【請求項２】
請求項１において、前記プッシュハンドルユニットは、その表面が略平滑面に形成された内台座と、該内台座の表面から突出させて設けられた前記サムターンと、プッシュハンドルの後付けが可能な内取付け座とを一体に備えて構成され、前記錠ケース表面部に外装してあることを特徴とする面付けプッシュプル錠。
【請求項３】
請求項１または２において、前記プルハンドルユニットは、上側にシリンダ錠の先端が室内側から挿入されるシリンダ孔と下側の内部に設けられた外取付け座とを有し、扉面から前記外取付け座を収容可能な高さ幅の外周面を存して平断面視略コ字状に形成される外台座と、前記外取付け座に、その取付け脚を介して揺動可能に取り付けられたプルハンドルとで構成されることを特徴とする面付けプッシュプル錠。
【請求項４】
サムターンの摘み操作で出没するデッドボルトと、一端部側が内／外取付け座を介して揺動自在に取り付けられ、上側から手掛け可能なプッシュ/プルハンドルの押し／引き操作により反転可能なラッチと、室外側から錠操作可能なにシリンダ錠とを備える錠ユニットを、室内側の扉面に取り付けられる錠ケースに内装せしめると共に、
該錠ケースを、既設の扉体に予め備えられた面付け錠取付け用に開孔された室内外を連通する既設の軸挿通孔を利用し、室内側の扉面に取着される取付けベースを介して扉体に取り付けするに、
室外側に取り付けられるプルハンドルユニットを、上側に前記シリンダ錠の先端が室内側から挿入されるシリンダ孔と下側の内部に設けられた外取付け座とを有し、扉面から外取付け座を収容可能な高さ幅の外周面を存して平断面視略コ字状に形成される外台座と、前記外取付け座に、その取付け脚を介して揺動可能に取り付けられたプルハンドルとで構成する一方、
室内側に取り付けられるプッシュハンドルユニットを、その表面が略平滑面に形成された内台座と、該内台座の表面から突出させて設けられた前記サムターンと、プッシュハンドルの後付けが可能な内取付け座とを一体に備え、前記錠ケース表面部に内台座を介して一体的に外装可能に構成せしめ、
該錠ケースを、前記取付けベースを介して前記錠ユニットと共に扉体に取り付けした状態で、前記プルハンドルユニットと前記軸挿通孔に挿通されるジョイント軸を介して連結してあることを特徴とする面付けプッシュプル錠。
【請求項５】
請求項３または４において、前記プルハンドルはハンドル面が外台座の表面から離間して外取付け座に取り付けられ、前記プッシュハンドルは内台座の表面に近接して内取付け座に取り付けられていることを特徴とする面付けプッシュプル錠。
【請求項６】
請求項１乃至５の何れかにおいて、前記錠ケースは、前記プッシュハンドルユニットの内台座の表面から前記錠ユニットにビス止めされ、かつ、プッシュハンドルユニットと前記プルハンドルユニットとを前記軸挿通孔を介してジョイント軸により連結固定することで扉面に取り付けられていることを特徴とする面付けプッシュプル錠。
【請求項７】
請求項１乃至５の何れかにおいて、前記錠ケースは、前記プッシュハンドルユニットの内台座の表面から前記錠ユニットにビス止めされ、かつ、プッシュハンドルユニットと前記プルハンドルユニットとを前記軸挿通孔を介してジョイント軸により連結固定することで扉面に取り付けられていることを特徴とする面付けプッシュプル錠。
【請求項８】
サムターンの摘み操作で出没するデッドボルトと、一端部側が取付け座を介して揺動自在に取り付けられ、上側から手掛け可能なプッシュ/プルハンドルの押し／引き操作により反転可能なラッチとを上下に並設して備える錠ユニットを、室内側の扉面に取り付けられる錠ケースに内装せしめると共に、室内側のプッシュハンドルユニットを錠ケースに一体的に外装せしめ、
該錠ケースを、既設の扉体に予め備えられた面付け錠取付け用に開孔された室内外を連通する既設の軸挿通孔を利用し、室内側の扉面に取着される取付けベースを介して扉体に取り付けするにあたり、
先ず、前記軸挿通孔の外周近傍にバカ孔を穿設する一方、
前記取付けベースを、基面部から立ち上がり錠ケースを装着するための取付部と、基面部から取付部に背反して折曲された断面視略Ｕ字状の係止部とを有して形成し、
前記バカ孔位置で、前記係止部を、前記室内側の扉面板に開孔された軸挿通孔から当該孔の周端縁となる裏面側周面に係止せしめてセットし、前記基面部と係止部とを扉面板を挟み込んだ状態で、前記バカ孔を介してビス止めすることで、取付けベースを室内側扉面に対して面ズレ可能に緩装させて仮固定し、
しかる後、前記錠ユニットと共に錠ケースを、前記取付部に対して取着することで取付けベースに固定し、
該錠ケースと室外側扉面に取り付けされるプルハンドルユニットとを、前記仮固定を維持した状態で位置合わせ調整可能に、前記軸挿通孔に挿通されるジョイント軸に連結ボルトで連結し、
次いで、扉枠側に形成されたストライクに対して、デッドボルトとラッチが適正に係脱するよう位置合わせ調整した後、前記連結ボルトを締め付けして本固定することを特徴とする面付けプッシュプル錠の取り付け方法。
【発明の詳細な説明】
【技術分野】
【０００１】
本発明は、デッドボルトとラッチとを上下に並設して備える面付けプッシュプル錠にかかり、詳しくは、既設の扉に用いられていたレバーハンドル式等の既設面付け錠に換えて取り付け可能な横手タイプのハンドルを備えた面付けプッシュプル錠に関する。
【背景技術】
【０００２】
近年、マンションなどの集合住宅の改修工事の際に、工期の短縮の観点から躯体の削工事を伴う鋼製の各玄関扉と扉枠は、充分に使用可能にものをそのまま残した状態で、塗り替え塗装仕上げにより行われるケースが多くみられる。また、このような集合住宅の各玄関扉には、レバーハンドル式等の面付け錠が採用されているケースが多く、継続使用する各玄関扉には、面付け錠が取り付けられていた室内外を連通する軸挿通孔が開孔されており、扉枠には、上下に並設されたデッドボルトとラッチのストライク孔が開孔されているため、この軸挿通孔やストライク孔をそのまま利用して取り付け、新たな面付け錠に取り替える場合には、同種タイプのノブ式やレバーハンドル式の面付け錠を採用するしか選択肢がないという実情にある（特許文献１参照）。
【０００３】
また、異種タイプの面付け錠として、特許文献２、３示すようなプッシュプル式の面付け錠が知られている。一般に、プッシュプル錠は、扉体内・外のドアハンドルを押すか引くかするだけでラッチが没入する解錠操作を行うことができ、お年寄りや体の不自由な者にとっても極めて扉体の開閉操作がし易く、また、ハンドル自体も上下の取付け座を用いた縦長の縦手タイプのハンドル、単体の取付け座を用いた角形や横長の上側から手掛け可能な横手タイプのハンドルなど種々のデザイン性に富んだものが存在し、マンション等の集合住宅の玄関扉にも広く採用されている。
【０００４】
しかしながら、これらのものは、縦手タイプのハンドルを備えたプッシュプル錠であり、既設鋼製扉枠の室内側見込み面（ストライク取付け面）の幅をそのまま利用することはできるが、既設の玄関鋼製扉に換えて新設扉を採用することを前提としたものであり、改装工事で残された既設の玄関扉と扉枠に採用する場合には、扉体の軸挿通孔や扉枠のストライク孔を塞いで、玄関扉と扉枠にそれぞれ新たに軸挿通孔やストライク孔を開孔加工する必要があり、工事費用が嵩み、工期遅延の要因となってしまうばかりか、扉体内部に設けられた補強用錠前ライナーも既設面付け錠の専用の大きさのものであり、ライナーの存在しない部位への取り付けができず、実質的に採用することが困難であった。そのため、既設の面付け錠に換えて、扉体や扉枠の既設の軸挿通孔やストライク孔をそのまま利用して取り付けできる新タイプの面付け錠の出現が望まれていた。
【特許文献１】実公平０３−０２２４５３号公報
【特許文献２】特開２０１０−１５９６１３号公報
【特許文献３】特開２０１０−２２２７８９号公報
【発明の開示】
【発明が解決しようとする課題】
【０００５】
本発明は、上記の如き問題点を一掃すべく創案されたものであって、マンションなどの集合住宅の改修工事の際に、レバーハンドル式等の面付け錠が設けられた既設の各玄関扉と扉枠がそのまま継続使用された場合であっても、既設の各玄関扉に用いられていたレバーハンドル式等の面付け錠に換えて、当該面付け錠用に玄関扉に開孔された室内外を連通する軸挿通孔や、扉枠に穿設されたストライク孔をそのまま利用して取り付けすることのできる横手タイプのハンドルを備えた面付けプッシュプル錠およびその取り付け方法を提供することを目的とする。
【課題を解決するための手段】
【０００６】
上記課題を解決するために本発明の面付けプッシュプル錠は、サムターンの摘み操作で出没するデッドボルトと、一端部側が取付け座を介して揺動自在に取り付けられ、上側から手掛け可能なプッシュ／プルハンドルの押し／引き操作により反転可能なラッチとを上下に並設して備える錠ユニットを、室内側の扉面に取り付けられる錠ケースに内装せしめると共に、室内側のプッシュハンドルユニットを錠ケースに一体的に外装せしめ、該錠ケースを、既設の扉体に予め備えられた面付け錠取付け用に開孔された室内外を連通する既設の軸挿通孔を利用し、室内側の扉面に取着される取付けベースを介して扉体に取り付けするに、該取付けベースは、基面部から立ち上がり形成された錠ケースを装着する取付部と、基面部から取付部に背反して折曲形成された断面視略Ｕ字状の係止部とを有し、該係止部を、前記室内側の扉面板に開孔された軸挿通孔から、当該孔の周端縁となるの裏面側周面に係止せしめた状態で、前記取付けベースを室内側扉面に対して面ズレ可能に緩装させて仮固定すると共に、前記取付部に対して、前記錠ユニットと共に錠ケースを組み付けした状態で、該錠ケースと室外側扉面に取り付けされるプルハンドルユニットとを、前記軸挿通孔に挿通されるジョイント軸を介して、前記仮固定状態を維持して位置合わせ調整可能に連結せしめ、位置合わせ調整による本固定を可能に構成してあることを特徴とするものである。
また、上記課題を解決するために本発明の面付けプッシュプル錠は、サムターンの摘み操作で出没するデッドボルトと、一端部側が内／外取付け座を介して揺動自在に取り付けられ、上側から手掛け可能なプッシュ/プルハンドルの押し／引き操作により反転可能なラッチと、室外側から錠操作可能なにシリンダ錠とを備える錠ユニットを、室内側の扉面に取り付けられる錠ケースに内装せしめると共に、該錠ケースを、既設の扉体に予め備えられた面付け錠取付け用に開孔された室内外を連通する既設の軸挿通孔を利用し、室内側の扉面に取着される取付けベースを介して扉体に取り付けするに、室外側に取り付けられるプルハンドルユニットを、上側に前記シリンダ錠の先端が室内側から挿入されるシリンダ孔と下側の内部に設けられた外取付け座とを有し、扉面から外取付け座を収容可能な高さ幅の外周面を存して形成される外台座と、前記外取付け座に、その取付け脚を介して揺動可能に取り付けられたプルハンドルとで構成する一方、室内側に取り付けられるプッシュハンドルユニットを、その表面が略平滑面に形成された内台座と、該内台座の表面から突出させて設けられた前記サムターンと、プッシュハンドルの後付けが可能な内取付け座とを一体に備え、前記錠ケース表面部に内台座を介して一体的に外装可能に構成せしめ、該錠ケースを、前記取付けベースを介して前記錠ユニットと共に扉体に取り付けした状態で、前記プルハンドルユニットと前記軸挿通孔に挿通されるジョイント軸を介して連結してあることを特徴とするものである。
また、上記課題を解決するために本発明の面付けプッシュプル錠の取り付け方法は、サムターンの摘み操作で出没するデッドボルトと、一端部側が取付け座を介して揺動自在に取り付けられ、上側から手掛け可能なプッシュ/プルハンドルの押し／引き操作により反転可能なラッチとを上下に並設して備える錠ユニットを、室内側の扉面に取り付けられる錠ケースに内装せしめると共に、室内側のプッシュハンドルユニットを錠ケースに一体的に外装せしめ、該錠ケースを、扉体に予め開孔された室内外を連通する軸挿通孔を利用し、室内側の扉面に取着される取付けベースを介して扉体に取り付けするにあたり、先ず、前記軸挿通孔の外周近傍にバカ孔を穿設する一方、前記取付けベースを、基面部から立ち上がり錠ケースを装着するための取付部と、基面部から取付部に背反して折曲された断面視略Ｕ字状の係止部とを有して形成し、前記バカ孔位置で、前記係止部を、前記室内側の扉面板に開孔された軸挿通孔から当該孔の周端縁となる裏面側周面に係止せしめてセットし、前記基面部と係止部とを扉面板を挟み込んだ状態で、前記バカ孔を介してビス止めすることで、取付けベースを室内側扉面に対して面ズレ可能に緩装させて仮固定し、しかる後、前記錠ユニットと共に錠ケースを、前記取付部に対して取着することで取付けベースに固定し、該錠ケースと室外側扉面に取り付けされるプルハンドルユニットとを、前記仮固定を維持した状態で位置合わせ調整可能に、前記軸挿通孔に挿通されるジョイント軸に連結ボルトで連結し、次いで、扉枠側に形成されたストライクに対して、デッドボルトとラッチが適正に係脱するよう位置合わせ調整した後、前記連結ボルトを締め付けして本固定することを特徴とするものである。
【発明の効果】
【０００７】
本発明は、上記のように構成したことにより、新設扉にも採用できるものでありながら、マンションなどの集合住宅の改修工事の際に、レバーハンドル式等の面付け錠が設けられた既設の各玄関の扉体と扉枠がそのまま継続使用された場合であっても、既設の各扉体に用いられていたレバーハンドル式等の面付け錠に換えて、当該面付け錠用に扉体に開孔された室内外を連通する軸挿通孔や、扉枠に穿設されたストライク孔をそのまま利用することのできるデザイン性に富んだ横手タイプのハンドルを備えた面付けプッシュプル錠を安価に提供することができ、新たな異種タイプの面付け錠として取り替え要求を充足し、その選択肢を大幅に拡大することができると共に、各戸の改修工事における多くの扉体への取り替え作業が容易かつ安価に行え、工期の短縮化が図られるばかりか、錠ケースは、錠ユニットを内装するだけでなく、プッシュハンドルユニットを外装する台座としての機能を兼ね備え、プッシュハンドルユニットの面域から錠ケースとプルハンドルユニットを、既存の軸挿通孔を介してジョイント軸により扉体を挟んで強固に連結することが可能となり、錠ケースの外観とプッシュハンドルユニットの外観の装飾態様を異なしめるデザイン化を図り得て、プッシュハンドルはその特性を生かしてサムターン側に近接してその下面域を覆うように形成でき、従来のレバーハンドルに比べてその上側からの手掛け位置を高くして操作をし易くすることができ、ジョイント用のビス頭も覆い隠すことができる。
しかも、請求項１の発明のように構成すると、取付けベースに取着された錠ケースとプルハンドルユニットとを、容易に位置合わせ調整して連結作業が行え、両者を連結した仮固定状態で、扉枠側に形成されたストライクに対して、デッドボルトとラッチが適正に係脱するよう位置合わせ調整した後に本固定することができ、取り付け作業の効率を更に向上することができる。
さらに、請求項４の発明のように構成すると、プルハンドルユニット側では、取付け脚を有したプルハンドルを採用でき、扉面からのプルハンドルの離間位置をその取付け脚の高さと外台座の高さ幅を加えた離間幅をもって配設することができ、プッシュハンドルユニット側では、突出する内取付け座をプッシュハンドルの取付け脚に兼用して、扉面からのプッシュハンドルの離間位置を錠ケース面に近接して大きく離間してしまうことなく配設するすることができ、プッシュハンドルの上側が近接してもサムターンの摘み操作を行い易くし、両者の扉面との相対的な離間幅を調整して、更なる押し／引き操作性を高めることができるばかりか、外装されるプッシュハンドルユニットによって、錠ケースの表面を内台座で装飾することができ、しかも、ジョイント軸を、外台座の裏面側に螺着してユニット構成部材とすることができるので、錠ケースとの連結を容易に行え、取り付け作業の効率を更に向上することができる。
【発明を実施するための最良の形態】
【０００８】
以下、本発明の実施の形態を好適な実施の形態として例示する面付けプッシュプル錠を図面に基づいて詳細に説明する。図１（Ａ）は戸先側からみた面付けプッシュプル錠の側面図、図１（Ｂ）はハンドル部の横断面図、図２（Ａ）は室外側のプルハンドルユニットを示す正面図、図２（Ｂ）は室内側のプッシュハンドルユニットを示す正面図、図３（Ａ）は扉に取り付けした状態を示す面付けプッシュプル錠の横断面図、図３（Ｂ）は同じくサムターン部の縦断面図、図４（Ａ）は図３（Ａ）の取り付け分解説明図、図４（Ｂ）は図３（Ｂ）の取り付け分解説明図である。
これら図１〜４において、１は面付けプッシュプル錠であって、該面付けプッシュプル錠１は、扉体７の室内側扉面に取り付けされる錠ケース２と、錠ケース２に内装される錠ユニット３および外装されるプッシュハンドルユニット４と、室外側扉面に取り付けされるプルハンドルユニット５とを備えた、所謂、横手タイプのハンドルを備えた面付けプッシュプル錠として構成される。
【０００９】
錠ケース２は、表面部の左右両側に立上り片２１と、立上り片２１間に形成されるプッシュハンドルユニット４を外装する装着部としての凹状面部２２とを有し、内部に錠ユニット３、取付けベース６を内装可能な高さ幅の周面部を有して、全体が平断面視略コ字状（または略Ｈ字状）の箱形に形成され、錠ユニット３を内装するだけでなく、外装するプッシュハンドルユニット４の台座としての機能を兼ね備える。
錠ユニット３は、錠本体ケーシング３１（内部機構を省略）と、サムターン３２の摘み操作で出没するデッドボルト３１１と、デッドボルト３２１を室外側から出没するよう錠操作可能に錠本体ケーシング３１に立設されて室外側に達する長さを有するシリンダ錠３３と、デッドボルト３２１と上下に並設され、外部に向けて出没自在かつハンドルの押し／引き操作により反転可能なラッチ３４とを備えて構成される。デッドボルト３２１とラッチ３４とは、扉枠７１に設けられたストライク７２に係脱操作されるが、これら錠ユニット３の構成は概略公知である。
【００１０】
プッシュハンドルユニット４は、全体が縦断面視略扁平コ字状に形成された内台座４１、内台座４１の上下に形成され、錠ケース２の表面部側上下に形成されたＬ字状溝に係止する係止片４１１と、内台座４１の表面から突出させて設けられたサムターン３２と、同じく内台座４１の表面から突出させて設けられたプッシュハンドル４０の後付け可能な内取付け座４２とを一体に備えて構成される。また、内台座４１には、皿ビス孔４１２がサムターン３２の上、内取付け座４２の上下の３カ所に一列状に穿設されている。
サムターン３２は、内台座４１の背面側からシリンダ錠３３と対面して一対に凹凸嵌合するスプライン係合片を突出させて取付け板４１３を介して狭着される。
【００１１】
内取付け座４２は、内台座４１に一体形成されて外方に開口して立ち上がる矩形筒状の凹状支持部４２１を有し、この凹状支持部４２１内に設けられた支持軸４２２に、先端を錠ユニット３内部に挿入されてラッチ３４に連携する短寸の内揺動軸４２３、プッシュハンドル４０の取付け脚４２４を揺動可能に、プッシュハンドル４０および内揺動軸４２３を定位置に復帰させるバネ４２５がそれぞれ軸装されている。これにより、プッシュハンドル４０の押し操作で、内揺動軸４２３が引っ張り方向に揺動しラッチ３４が図示しない連動機構によって没入方向に反転するようになっている。
プッシュハンドル４０は、その後端（自由端）側から取付け脚４２４にビス固定されるが、前面および上下面によって取付け脚４２４を覆い隠すよう延出する背面視コ字状の覆い面４０１が形成されている。この様に形成すると、前側の覆い面４０１の下端が錠ケース２に近接して、プッシュハンドル４０の取付け脚４２４から突出する前端部とが大きく離間してしまう状態が回避され、出入りの際に、錠ケース２幅に起因して扉面から離間したプッシュハンドル４０の前端部に物を引っ掛けたり、ぶつけたりする危険性を未然に防止することができる。なお、前側の覆い面４０１をハンドル面から垂直に側面視Ｌ字状に折曲形成したが、ハンドル面自体を湾曲形成させても良く、または、別体のカバー材に形成しても良く、要は、取付け脚４２４から突出する前端部と錠ケース２との離間を覆い隠すようにしたものであればよい。
【００１２】
一方、プルハンドルユニット５は、外台座５１と、外台座５１の上側にシリンダ錠３３の先端（キー差込側）が挿入されるシリンダ孔５２と、外台座５１の下側内部に設けられた外取付け座５３と、外取付け座５３に揺動可能に取り付けられたプルハンドル５０とで構成される。外台座５１は、扉面から外取付け座５３を収容可能な高さ幅の外周面５１１を存して平断面視略コ字状に形成される。また、プルハンドル５０は、取付け脚５０１が一体成形されており、取付け脚５０１を介してそのハンドル面が外台座５１の表面から離間するよう外取付け座５３に取り付けられている。
【００１３】
外取付け座５３は、外台座５１に一体形成されて外方を開口して内部側に形成される矩形筒状の凹状支持部５３１を有し、この凹状支持部５３１内に設けられた支持軸５３２に、先端を錠ユニット３の内部に挿入されラッチ３４に連携する長尺の外揺動軸５３３、プルハンドル５０の取付け脚５０１、プルハンドル５０および外揺動軸５３３を定位置に復帰させるバネ５３４が軸装されている。これにより、プルハンドル５０の引き操作により、外揺動軸５３３が引っ張り方向に揺動しラッチ３４が図示しない連動機構によって没入方向に反転するようになっている。また、外台座５１の裏面側には、外周面５１１の厚さ幅が広幅に設定してあるので、内台座４１の上下の皿ビス孔４１２と対向する位置にそれぞれネジ孔５４１を設けることができ、このネジ孔５４１にジョイント軸５４を螺着することで、プルハンドルユニット５を構成する部材とすることができる。この様に構成すると、外部から挿通取付けするナット型ジョイント軸を用いた場合に比し、そのボルト頭が露出することがなく、防犯性に優れ、デザイン性も向上することができる。
【００１４】
取付けベース６は、シリンダ錠３３を挿通可能な切欠孔６１１が形成された基面部６１と、基面部６１から立ち上がり折曲形成され、前側（扉枠側）で錠本体ケーシング３１をフロント板３１１を介してネジ止め装着する上下２カ所の取付部６２と、後側で錠ユニット３の裏面部を支持受けする支持部６３と、基面部６１から取付部６２に背反して折曲形成された断面視略Ｕ字状の係止部６４とを一体に備える。
取付部６２は、錠本体ケーシング３１のフロント板３１１側に形成された挿入孔３１２に挿入されて、錠ケース２の扉枠７１側にストライク７２の対向面に形成された開口部２１１からフロント板３１１を宛がい、錠本体ケーシング３１をその対面部を挟み込んでビス固定するようになっている。
係止部６４は、基面部６１とのＵ字状折曲幅が扉面板と錠前ライナー７３の板厚幅分強の離間寸法に設定されている。
【００１５】
次に、この様に構成された面付けプッシュプル錠１を扉体７に取り付けする手順を、図４に基づいて説明する。
マンションなどの集合住宅の改修工事の際に、レバーハンドル式等の面付け錠が設けられた既設の各玄関の扉体７と扉枠７１がそのまま継続使用された場合を例示すると、扉体７には、旧シリンダ錠とハンドル連結軸との上下２カ所に、予め室内外を連通する軸挿通孔７４ａ、７４ｂが開孔されており、この軸挿通孔７４ａ、７４ｂを利用して、面付けプッシュプル錠１を取り付けるには、先ず、取付けベース６を室内側扉面に取り付けするために、係止部６４の配設位置となる軸挿通孔７４ａ、７４ｂのそれぞれ外周近傍にバカ孔７４１を穿設する。このバカ孔７４１の位置で、係止部６４を、室内側の軸挿通孔７４ａ、７４ｂからその扉面板（錠前ライナー７３）の裏面側周面に係止せしめて取付けベース６をセットし、基面部６１と係止部６４とを扉面板（錠前ライナー７３）を挟み込んだ状態で、バカ孔７４１を介してビス止めすることで、取付けベース６を面ズレ可能に緩装させて仮固定する。
【００１６】
しかる後、シリンダ錠３３を切欠孔６１１、軸挿通孔７４ａに挿通させながら、取付部６２を錠本体ケーシング３１の挿入孔３１２に挿入して錠ユニット３をセットし、錠ケース２を被嵌させて、開口部２１１からフロント板３１１を宛がい、錠本体ケーシング３１をフロント板３１１と取付部６２の間に挟み込んでビス固定し、錠ケース２を、錠本体ケーシング３１に対して内台座４１の中央の皿ビス孔４１２よりボルト止めして、錠ユニット３と共に錠ケース２を取付けベース６に一体固定する。この状態で、錠ケース２は仮固定された取付けベース６と共に位置ズレ調整可能となっており、錠ケース２と室外側扉面に取り付けされるプルハンドルユニット５とを、位置合わせ調整が容易に行え、外台座５１に立設されたジョイント軸５４を軸挿通孔７４ａ、７４ｂに挿入して、その先端部に形成されたナット部に、内台座４１の上下の皿ビス孔４１２より連結ボルトを螺入して仮固定を維持した状態で扉体７を挟持連結する。
次いで、連結ボルトの緊緩操作により、扉枠７１側に形成されたストライク７２に対して、デッドボルト３２１とラッチ３４が適正に係脱するよう位置合わせ調整した後、連結ボルトとジョイント軸５４を締め付けして本固定すれば、取り付けが完了する。
【００１７】
叙述の如く構成された本発明の実施の形態において、既設の扉体７に予め備えられた面付け錠取付け用に開孔された室内外を連通する軸挿通孔７４ａ、７４ｂを利用して、既設の面付け錠に換えて新たな面付け錠を取り付けるのであるが、本発明における面付け錠は、室内側の扉面に取り付けられる錠ケース２が、デッドボルト３２１とラッチ３４とを上下に並設して備える錠ユニット３を内装するだけでなく、室内側のプッシュハンドルユニット４を錠ケース２の表面に一体的に外装可能に構成されると共に、錠ケース２を、取付けベース６を介して錠ユニット３と共に扉体７に取り付けした状態で、錠ケース２と室外側扉面に取り付けされるプルハンドルユニット５と軸挿通孔７４ａ、７４ｂに挿通されるジョイント軸５４を介して連結する、所謂、横手タイプのハンドルを備えた面付けプッシュプル錠１として構成されている。
【００１８】
したがって、新設扉にも採用できるものでありながら、マンションなどの集合住宅の改修工事の際に、レバーハンドル式等の面付け錠が設けられた既設の各玄関の扉体７と扉枠７１がそのまま継続使用された場合であっても、既設の各扉体７に用いられていたレバーハンドル式等の面付け錠に換えて、当該面付け錠用に扉体７に開孔された室内外を連通する軸挿通孔７４ａ、７４ｂや、扉枠７１に穿設されたストライク７２の孔をそのまま利用することのできるデザイン性に富んだ横手タイプのハンドルを備えた面付けプッシュプル錠１を安価に提供することができ、新たな異種タイプの面付け錠として取り替え要求を充足し、その選択肢を大幅に拡大することができると共に、各戸玄関の改修工事における多くの扉体７への取り替え作業が容易かつ安価に行え、工期の短縮化が図られるばかりか、錠ケース２は、錠ユニット３を内装するだけでなく、プッシュハンドルユニット４を外装する台座としての機能を兼ね備え、プッシュハンドルユニット４の面域から錠ケース２とプルハンドルユニット５を、既存の軸挿通孔７４ａ、７４ｂを介してジョイント軸５４により扉体７を挟んで強固に連結することが可能となり、錠ケース２の外観とプッシュハンドルユニット４の外観の装飾態様を異なしめるデザイン化を図り得て、プッシュハンドル４０はその特性を生かしてサムターン３２側に近接してその面域を覆うように形成でき、サムターン３２と内取付け座４２との離間スペースが小さいものであっても、従来のレバーハンドルに比べてその上側からの手掛け位置を高くしてサムターン３２側に近接し操作をし易くすることができ、ジョイント用のボルトやビス頭も覆い隠すことができる。
【００１９】
しかも、取付けベース６は、基面部６１から立ち上がり形成された錠ケース２を装着する取付部６２と、基面部６１から取付部６２に背反して折曲形成された断面視略Ｕ字状の係止部６４とを有し、該係止部６４を、室内側の軸挿通孔７４ａ、７４ｂから、その扉面板（錠前ライナー７３）の裏面側周面に係止せしめて取付けベース６を室内側扉面に対して面ズレ可能に緩装させて仮固定すると共に、取付部６２に対して、錠ユニット３と共に錠ケース２を組み付けした状態で、該錠ケース２と室外側扉面に取り付けされるプルハンドルユニット５とを、前記仮固定状態を維持して位置合わせ調整可能に連結せしめ、位置合わせ調整後に連結ボルトとジョイント軸５４を締め付けして本固定可能に構成してある。
【００２０】
このように構成すると、前記作用効果に加えて、取付けベース６に取着された錠ケース２とプルハンドルユニット５とを、手を離した状態からプルハンドルユニット５をセットして、容易に位置合わせ調整して連結作業が行え、両者を連結した仮固定状態で、扉枠７１側に形成されたストライク７２に対して、デッドボルト３２１とラッチ３４が適正に係脱するよう位置合わせ調整した後に本固定することができ、取り付け作業の効率を更に向上することができる。
【００２１】
さらに、室外側に取り付けられるプルハンドルユニット５を、上側にシリンダ錠３３の先端が室内側から挿入されるシリンダ孔５２と下側の内部に設けられた外取付け座５３とを有し、扉面から外取付け座５３を収容可能な高さ幅の外周面を存して平断面視略コ字状に形成される外台座５１と、外取付け座５３に、その取付け脚５０１を介して揺動可能に取り付けられたプルハンドル５０とで構成する一方、室内側に取り付けられるプッシュハンドルユニット４を、その表面が略平滑面に形成された内台座４１と、該内台座４１の表面から突出させて設けられたサムターン３２と、プッシュハンドル４０の後付け可能な内取付け座４２とを一体に備え、錠ケース２の表面部に内台座４１を介して一体的に外装可能に構成せしめ、該錠ケース２を、取付けベース６を介して錠ユニット３と共に扉体７に取り付けした状態で、プルハンドルユニット５と軸挿通孔７４ａ、７４ｂに挿通されるジョイント軸５４を介して連結するよう構成してある。
【００２２】
この様に構成すると、前記作用効果に加えて、プルハンドルユニット５側では、取付け脚５０１を有したプルハンドル５０を採用でき、扉面からのプルハンドル５０の離間位置をその取付け脚５０１の高さと外台座５１の高さ幅を加えた離間幅をもって配設することができ、プッシュハンドルユニット４側では、突出する内取付け座４２をプッシュハンドル４０の取付け脚４２４に兼用して、扉面からのプッシュハンドル４０の離間位置を錠ケース２の表面に近接して大きく離間してしまうことを規制して配設することができ、プッシュハンドル４０の上側が近接してもサムターン３２の摘み操作を行い易くし、両者の扉面との相対的な離間幅を調整して、更なる押し／引き操作性を高めることができる。また、外装されるプッシュハンドルユニット４によって、錠ケース２の表面を内台座４１で装飾することができ、しかも、外周面５１１の幅が広幅に設定してあるので、外台座５１の裏面側にジョイント軸５４を螺着するネジ孔５４１を設けることができ、ジョイント軸５４をユニット構成部材とすることができ、錠ケース２との連結を容易に行え、取り付け作業の効率を更に向上することができるばかりか、外部から挿通取付けするナット型ジョイント軸を用いた場合に比し、そのボルト頭が露出することがなく、防犯性に優れ、デザイン性も向上することができる。
【００２３】
また、錠ケース２は、プッシュハンドルユニット４の内台座４１の表面に設けた中央の皿ビス孔４１２から錠ユニット３（錠本体ケーシング３１）にビス止め固定され、かつ、プッシュハンドルユニット４とプルハンドルユニット５とを軸挿通孔７４ａ、７４ｂを介して上下の皿ビス孔４１２からジョイント軸５４に連結ボルトで連結固定することで扉面に取り付けられるので、錠ケース２自体を扉面に仮固定状態で取着することができ、手を離した状態からプルハンドルユニット５をセットして、連結固定作業を行うことができると共に、錠ケース２を挟んで強固に連結固定することができるだけでなく、内取付け座４２の上下に穿設された皿ビス孔４１２をプッシュハンドル４０で覆い隠すことができ、従来のレバーハンドルに比べてその上側からの手掛け位置を高くして操作をし易くすることができる。
【００２４】
また、プッシュハンドルユニット４は、その内台座４１を錠ケース２の表面に形成した凹状面部２２に装着してあるので、錠ケース２は、錠ユニット３を内装するだけでなく、プッシュハンドルユニット４を外装する台座としての機能を兼ね備え、左右両側の立上り片２１に挟まれた状態でセットでき、錠ケース２の外観とプッシュハンドルユニット４の外観の装飾態様を異なしめるデザイン化を図ることができ、そのバリエーションを拡大することができ、従来のケースカバーのものに比しそのデザイン性を一層向上したものとして提供することができる。
【図面の簡単な説明】
【００２５】
【図１】（Ａ）は戸先側からみた面付けプッシュプル錠の側面図、（Ｂ）はハンドル部の横断面図である。
【図２】（Ａ）は室外側のプルハンドルユニットを示す正面図、（Ｂ）は室内側のプッシュハンドルユニットを示す正面図である。
【図３】（Ａ）は扉に取り付けした状態を示す面付けプッシュプル錠の横断面図、（Ｂ）は同じくサムターン部の縦断面図である。
【図４】（Ａ）は図３（Ａ）の取り付け分解説明図、（Ｂ）は図３（Ｂ）の取り付け分解説明図である。
【符号の説明】
【００２６】
１      プッシュプル錠
２      錠ケース
２１    立上り片
２１１  開口部
２２    凹状面部
３      錠ユニット
３１    錠本体ケーシング
３１１  フロント板
３１２  挿入孔
３２    サムターン
３２１  デッドボルト
３３    シリンダ錠
３４    ラッチ
４      プッシュハンドルユニット
４０    プッシュハンドル
４０１  覆い面
４１    内台座
４１１  係止片
４１２  皿ビス孔
４１３  取付け板
４２    内取付け座
４２１  凹状支持部
４２２  支持軸
４２３  内揺動軸
４２４  取付け脚
４２５  バネ
５      プルハンドルユニット
５０    プルハンドル
５０１  取付け脚
５１    外台座
５１１  外周面
５２    シリンダ孔
５３    外取付け座
５３１  凹状支持部
５３２  支持軸
５３３  外揺動軸
５３４  バネ
５４    ジョイント軸
５４１  ネジ孔
６      取付けベース
６１    基面部
６１１  切欠孔
６２    取付部
６３    支持部
６４    係止部
７      扉体
７１    扉枠
７２    ストライク
７３    錠前ライナー
７４    軸挿通孔
７４１  バカ孔
【図１】
0005935250.tif 000002
【図２】
0005935250.tif 000003
【図３】
0005935250.tif 000004
【図４】
0005935250.tif 000005